(57)【要約】【課題】ミシンの補助テーブルとして使用可能な刺繍機用カバー、刺繍機に覆設するカバーとして使用可能なミシン用補助テーブル、及び、当該刺繍機用カバー並びに当該補助テーブルを装着可能なミシンを提供する。【解決手段】刺繍機用カバー６０は、ミシン１に装着された状態にて、ミシンベッド部及びフリーアーム部と一体となって略水平面を形成する平面部６１と、ミシンと係合する係合部と、略鉛直姿勢と略水平姿勢とに稼動可能であり、略鉛直姿勢にて本体を支持し、略水平姿勢にて刺繍機に覆設される支持脚７５と、刺繍機に覆設された状態にて、移送機構やスリットを覆い埃等から保護するための周壁部６８と、刺繍機に係止するための係止部６７とを備える。このことにより、ミシンに装着した状態で補助テーブルとして使用可能となり、且つ、刺繍機に覆設された状態で刺繍機用カバーとして使用可能となる。【選択図】図１３
2009011750.tif 000002
【特許請求の範囲】
【請求項１】
刺繍縫製を行うためにミシン本体に装着される刺繍機を覆う刺繍機用カバーであって、
前記ミシンが備えるミシンベッド部及び前記ミシンベッド部に設けられたフリーアーム部と一体となって略水平面を形成する上側平面部と、
前記平面部の周縁に沿い連続し、前記平面部に対して垂直下方に延設された周壁部と、
前記周壁部に設けられ、前記ミシンベッド部及び前記フリーアーム部のうち少なくとも一方に設けられた被係合部に着脱可能な係合部とを備え、
前記係合部と前記被係合部とが係合することにより、前記フリーアーム部と一体となって補助テーブルとして使用可能となることを特徴とする刺繍機用カバー。
【請求項２】
前記係合部は、前記ミシンが備える前記被係合部に嵌合可能な凸型形状を有し、前記被係合部に嵌合されることにより、前記平面部が前記ミシンベッド部及び前記フリーアーム部と略同一高さとなる位置に保持されることを特徴とする請求項１に記載の刺繍機用カバー。
【請求項３】
前記刺繍機用カバーは、
前記係合部と前記被係合部とが係合された状態において前記刺繍機用カバーを支持する支持脚であって、略水平姿勢の収納位置と略鉛直姿勢の使用位置とに亙って切り替え可能である支持脚を備えることを特徴とする請求項１又は２に記載の刺繍機用カバー。
【請求項４】
前記刺繍機用カバーは、前記平面部が平面視にて前記刺繍機の上面の形状と略同一形状を有し、前記刺繍機の上面全体に覆設可能であることを特徴とする請求項１乃至３のいずれかに記載の刺繍機用カバー。
【請求項５】
ミシン本体に装着する補助テーブルであって、
前記ミシンが備えるミシンベッド部及び前記ミシンベッド部に設けられたフリーアーム部と一体となって略水平面を形成する上側平面部と、
前記平面部の周縁に沿い連続し、前記平面部に対して垂直下方に延設された周壁部と、
前記周壁部に設けられ、前記ミシンベッド部及び前記フリーアーム部のうち少なくとも一方に設けられた被係合部に着脱可能な係合部と、
刺繍縫製を行うためにミシン本体に装着される刺繍機に係止する係止部とを備え、
前記刺繍機に覆設可能なカバーとして使用可能であることを特徴とするミシン用補助テーブル。
【請求項６】
前記係止部は、前記周壁部に凸設され、前記刺繍機の周縁部に設けられた被係止部に係止されることを特徴とする請求項５に記載のミシン用補助テーブル。
【請求項７】
前記ミシン用補助テーブルは、前記テーブル平面部と周壁部にて囲まれる部分により、前記刺繍機の上面全体に覆設可能であることを特徴とする請求項５又は６に記載のミシン用補助テーブル。
【請求項８】
前記ミシン用補助テーブルは、
前記係合部と前記被係合部とが係合された状態において前記ミシン用補助テーブルを支持する支持脚であって、略水平姿勢の収納位置と略鉛直姿勢の使用位置とに亙って切り替え可能である支持脚を備えることを特徴とする請求項５乃至７のいずれかに記載のミシン用補助テーブル。
【請求項９】
請求項１乃至４のいずれかに記載の前記刺繍機用カバー又は請求項５乃至８のいずれかに記載の前記ミシン用補助テーブルを着脱可能なミシンであって、前記ミシンが備える前記ミシンベッド部及び前記フリーアーム部のうち少なくとも一方に、前記刺繍用カバー又は前記ミシン用補助テーブルを係合可能な被係合部を備えることを特徴とするミシン。
【発明の詳細な説明】
【技術分野】
【０００１】
本発明は、ミシンのフリーアーム部に着脱可能な補助テーブルとしての機能を有する刺繍機用カバー、刺繍機に覆設するカバーとしての機能を有する補助テーブル、及び当該刺繍機用カバー及び当該補助テーブルを着脱可能なミシンに関する。
【背景技術】
【０００２】
ミシンのフリーアーム部に装着され、刺繍縫製のために使用される刺繍機において、収納、保管時にその可動部への埃等の侵入を防止するための専用カバーが知られている。この専用カバーは、平面部と、その周縁に側壁が設けられた構造を有しており、刺繍機の上面から覆設できるようになっている（特許文献１）。
【０００３】
また、ミシンのフリーアーム部に装着され使用される補助テーブルが知られている。本補助テーブルは、略Ｕ字形状の支持脚と、ミシン本体に係合可能な係合部を備え、ミシンベッド部及びフリーアーム部と一体となって広い加工布支持面を確保することが可能となっている。（特許文献２）。
【特許文献１】特開平１１−２０７０７５号公報
【特許文献２】特開平２００６−１４９９４９号公報
【発明の開示】
【発明が解決しようとする課題】
【０００４】
前記刺繍機の専用カバーは、刺繍機をミシンに装着して使用する際には刺繍機本体から取り外される。この場合、取り外された専用カバー自体には用途がないため、これを置くスペースがミシン縫製の作業スペースの邪魔となってしまうという問題点があった。また、前記補助テーブルについても、テーブル未使用時やミシン収納時にはミシン本体から取り外される。この場合、取り外された補助テーブルを置くスペースが、ミシン縫製の作業スペースの邪魔となってしまうという問題点があった。
【０００５】
本発明は上記課題を解決するためになされたものであり、ミシンのフリーアーム部に着脱可能な補助テーブルとしての機能を有する刺繍機用カバー、刺繍機に覆設するカバーとしての機能を有するミシン用補助テーブル、及び当該刺繍機用カバー及び当該補助テーブルを着脱可能なミシンを提供することを目的とする。
【課題を解決するための手段】
【０００６】
上記目的を達成するために、請求項１に記載の刺繍機用カバーは、刺繍縫製を行うためにミシン本体に装着される刺繍機を覆う刺繍機用カバーであって、前記ミシンが備えるミシンベッド部及び前記ミシンベッド部に設けられたフリーアーム部と一体となって略水平面を形成する上側平面部と、前記平面部の周縁に沿い連続し、前記平面部に対して垂直下方に延設された周壁部と、前記周壁部に設けられ、前記ミシンベッド部及び前記フリーアーム部のうち少なくとも一方に設けられた被係合部に着脱可能な係合部とを備え、前記係合部と前記被係合部とが係合することにより、前記フリーアーム部と一体となって補助テーブルとして使用可能となることを特徴とする。
【０００７】
また、請求項２に記載の刺繍機用カバーは、請求項１に記載の発明の構成に加え、前記係合部が、前記ミシンが備える前記被係合部に嵌合可能な凸型形状を有し、前記被係合部に嵌合されることにより、前記平面部が前記ミシンベッド部及び前記フリーアーム部と略同一高さとなる位置に保持されることを特徴とする。
【０００８】
また、請求項３に記載の刺繍機用カバーは、請求項１又は２に記載の発明の構成に加え、前記係合部と前記被係合部とが係合された状態において前記刺繍機用カバーを支持する支持脚であって、略水平姿勢の収納位置と略鉛直姿勢の使用位置とに亙って切り替え可能である支持脚を備えている。
【０００９】
また、請求項４に記載の刺繍機用カバーは、請求項１乃至３のいずれかに記載の発明の構成に加え、前記平面部が平面視にて前記刺繍機の上面の形状と略同一形状を有し、前記刺繍機の上面全体に覆設可能であることを特徴とする。
【００１０】
また、請求項５に記載の補助テーブルは、ミシン本体に装着する補助テーブルであって、前記ミシンが備えるミシンベッド部及び前記ミシンベッド部に設けられたフリーアーム部と一体となって略水平面を形成する上側平面部と、前記平面部の周縁に沿い連続し、前記平面部に対して垂直下方に延設された周壁部と、前記周壁部に設けられ、前記ミシンベッド部及び前記フリーアーム部のうち少なくとも一方に設けられた被係合部に着脱可能な係合部と、刺繍縫製を行うためにミシン本体に装着される刺繍機に係止する係止部とを備え、前記刺繍機に覆設可能なカバーとして使用可能であることを特徴とする。
【００１１】
また、請求項６に記載の補助テーブルは、請求項５に記載の発明の構成に加え、前記係止部が、前記周壁部に凸設され、前記刺繍機の周縁部に設けられた被係止部に係止されることを特徴とする。
【００１２】
また、請求項７に記載の補助テーブルは、請求項５又は６に記載の発明の構成に加え、前記テーブル平面部と周壁部にて囲まれる部分により、前記刺繍機の上面全体に覆設可能であることを特徴とする。
【００１３】
また、請求項８に記載の補助テーブルは、請求項５乃至７のいずれかに記載の発明の構成に加え、前記係合部と前記被係合部とが係合された状態において前記補助テーブルを支持する支持脚であって、略水平姿勢の収納位置と略鉛直姿勢の使用位置とに亙って切り替え可能である支持脚を備えている。
【００１４】
また、請求項９に記載のミシンは、請求項１乃至４のいずれかに記載の前記刺繍機用カバー又は請求項５乃至８のいずれかに記載の前記補助テーブルを着脱可能なミシンであって、前記ミシンが備える前記ミシンベッド部及び前記フリーアーム部のうち少なくとも一方に、前記刺繍用カバー又は前記補助テーブルを係合可能な被係合部を備えている。
【発明の効果】
【００１５】
本発明の請求項１に記載の刺繍機用カバーは、ミシンが備えるミシンベッド部とフリーアーム部と一体となり略水平面を形成する上側平面部と、平面部の周縁に沿い連続し、前記平面部に対して垂直下方に延設された周壁部と、周壁部に設けられた係合部とを備える。従って、当該刺繍機用カバーをミシンに装着することにより、当該平面部をテーブル面とする補助テーブルとして使用可能となり、当該刺繍機用カバーを置くスペースが不要となるため作業スペースを有効的に活用することができる。
【００１６】
また、本発明の請求項２に記載の刺繍機用カバーは、請求項１に記載の発明の効果に加え、刺繍機用カバーが備える係合部が、ミシンが備える被係合部に嵌合可能な凸型形状を有しており、前記被係合部に嵌合されることにより、前記平面部が前記ミシンベッド部及び前記フリーアーム部と略同一高さとなる位置に保持される。従って、当該刺繍機用カバーを補助テーブルとして利用でき、広い加工布支持面を確保できる。
【００１７】
また、本発明の請求項３に記載の刺繍機用カバーは、請求項１又は２に記載の発明の効果に加え、ミシンに装着された状態において刺繍機用カバーを支持し、略水平姿勢の収納位置と略鉛直姿勢の使用位置とに亙って切り替え可能な支持脚を有する。従って、刺繍機用カバーとして使用する場合は略水平姿勢に移動させ、補助テーブルとして使用する場合は略鉛直姿勢に移動させることにより、刺繍機用カバーと補助テーブルとを切り替えて使用できる。
【００１８】
また、本発明の請求項４に記載の刺繍機用カバーは、請求項１乃至３のいずれかに記載の発明の効果に加え、平面部が平面視にて刺繍機の上面の形状と略同一形状を有する。従って、刺繍機用カバーを刺繍機の上面全体に覆設することができる。
【００１９】
また、本発明の請求項５に記載の補助テーブルは、ミシンが備えるミシンベッド部とフリーアーム部と一体となり略水平面を形成する上側平面部と、平面部の周縁に沿い連続し、前記平面部に対して垂直下方に延設された周壁部と、周壁部に設けられた係合部と、刺繍機に装着するための係止部とを備える。従って、刺繍機に覆設することによって、刺繍機への埃等の進入を防止するためのカバーとして使用可能となる。
【００２０】
また、本発明の請求項６に記載の補助テーブルは、請求項５に記載の発明の効果に加え、係止部が周壁部に凸設されており、刺繍機の周縁部に設けられた被係止部に係止することができる。従って、刺繍機に覆設された状態で固定することが可能となり、当該補助テーブルを置くスペースが不要となるため作業スペースを有効的に活用することができる。
【００２１】
また、本発明の請求項７に記載の補助テーブルは、請求項５又は６に記載の発明の効果に加え、テーブル平面部と周壁部にて囲まれる部分により刺繍機の上面全体を覆設する。従って、刺繍機を覆設し、刺繍機への埃等の進入を防止するためのカバーとして使用可能となる。
【００２２】
また、本発明の請求項８に記載の補助テーブルは、請求項５乃至７のいずれかに記載の発明の効果に加え、ミシンに装着された状態において刺繍機用カバーを支持し、略水平姿勢の収納位置と略鉛直姿勢の使用位置とに亙って切り替え可能な支持脚を有する。従って、刺繍機用カバーとして使用する場合は略水平姿勢に移動させ、補助テーブルとして使用する場合は略鉛直姿勢に移動させることにより、刺繍機用カバーと補助テーブルとを切り替えて使用できる。
【００２３】
また、請求項９に記載のミシンは、ミシンベッド部及びフリーアーム部のうち少なくとも一方に、前記刺繍用カバー又は前記補助テーブルを係合可能な被係合部を備える。従って、請求項１乃至４のいずれかに記載の刺繍機用カバー又は請求項５乃至８のいずれかに記載の補助テーブルを装着することが可能となる。
【発明を実施するための最良の形態】
【００２４】
以下、図１乃至１４を参照し、本発明の実施の形態の一について説明する。なお、参照する図面は、本発明が採用しうる技術的特徴を説明するために用いられるものであり、記載されている装置の構成等は、特に特定的な記載がない限り、それのみに限定する趣旨ではなく、単なる説明例である。
【００２５】
はじめに、図１及び２を参照し、ミシン１本体の概略構成について説明する。図１は、ミシン１の右斜め前から見た斜視図であり、図２は、ミシン１の左側面図である。なお、以下の説明においては、図２における右側をミシン１の前方、左側をミシン１の後方、上側をミシン１の上方、下側をミシン１の下方、紙面手前側をミシン１の左方、紙面手奥行き側をミシン１の右方とする。
【００２６】
図１に示すように、ミシン１は、左右方向に長いベッド本体部２と、ベッド本体部２の右端部から上方へ立設された脚注部５と、ベッド本体部２と対向するように脚注部５の上端から左側へ延びるアーム部６と、アーム部６の左側先端部に設けられた頭部７とを有する。
【００２７】
このうち、ベッド本体部２は、脚注部５下方部分のミシンベッド部３と、ミシンベッド部３の左端の略中央部から片持ち状に延びるフリーアーム部４とからなる。ここでフリーアーム部４の前後方向における幅はミシンベッド部３の前後方向における幅の約２／３となっている。さらに、ミシンベッド部３とフリーアーム部４との上面は同一の高さとなっており、双方が一体となり略水平面を形成している。
【００２８】
また、アーム部６の前面部には、表面にタッチパネル機能を備えた液晶ディスプレイ１６が設けられている。そして、液晶ディスプレイ１６には縫製模様や縫製条件の入力キー等が表示され、タッチパネルにおいてこれらの入力キー等に対応した位置に触れることにより、縫製模様や縫製条件等を選択可能になっている。また、フリーアーム部４の内部には、送り歯（図示外）を駆動する送り歯前後動機構（図示外）及び送り歯上下動機構（図示外）、送り歯による加工布の送り量を調整する送り量調整用パルスモータ（図示外）及び下糸を格納した釜（図示外）等が収納されている。さらに、頭部７の先には、縫針８や押え足９が設けられている。
【００２９】
また、図２に示すように、ミシンベッド部３の左側面前方に、矩形状の係合部２０が凹設されている。この係合部２０は、該面のほぼ中央部分に配置され、上下方向を長手方向とする側面視略長方形枠状に形成されたものである。また、この係合部２０の内側には電気的被接続コネクタ２４が内設されている（以降、当該係合部２０を「第一被係合部」という。）。ここで電気的被接続コネクタ２４は、装着される刺繍機３０（図３、後述）の動作をミシン１が制御するために設けられたものであり、刺繍機３０（図３、後述）が備える電気的接続コネクタ３７（図３、後述）が接続されることにより、ミシン１から刺繍機３０（図３、後述）を電気通信により制御できるようになる。
【００３０】
さらに、フリーアーム部４の左側面前方やや上方には、上下方向を長手方向とする略長方形状の凹欠部（以降、「第二被係合部２１」という。）が前側面に亙って凹設されている。
【００３１】
次に、図３及び４を参照し、刺繍機３０の概略構成について説明する。刺繍機３０は、ミシン１におけるベッド本体部２（図１参照）に装着され、刺繍縫製のために使用されるものである。図３は、刺繍機３０の右斜め前から見た斜視図であり、図４は、刺繍機３０の右側面図である。なお、以下の説明においては、図４における左側を刺繍機３０の前方、右側を刺繍機３０の後方、上側を刺繍機３０の上方、下側を刺繍機３０の下方、紙面手前側を刺繍機３０の右方、紙面手奥行き側を刺繍機３０の左方とする。
【００３２】
図３に示すように、刺繍機３０は、平面視「横向き略Ｕ字」形状を有し、刺繍機３０本体部の前後長幅はミシン１（図１参照）におけるベッド本体部２（図１参照）の前後長よりもやや大きく、刺繍機３０本体部の左右長はフリーアーム部４（図１参照）の左右長の約１．５倍の大きさとなっている。ここで、平面視「横向き略Ｕ字」形状における中央の凹部４６の平面視形状は、ちょうどミシン１のフリーアーム部４（図１参照）の平面視形状と略同一となっている。そしてこの凹部４６がミシン１（図１参照）のフリーアーム部４（図１参照）に嵌合された状態で刺繍機３０が使用される。
【００３３】
また、刺繍機３０は、上部平面部３１と、周壁部３２と、底部（図示外）とを備える箱状体からなる。ここで周壁部３２は、その上面平面部３１及び底部（図示外）の周縁に沿って連続し、上部平面部３１及び底部（図示外）に対して垂直に延設された壁部である。そしてこの周壁部３２の高さは、ミシン１（図１参照）におけるベッド本体部２（図１参照）の上下幅と略同一となっている。
【００３４】
また、刺繍機３０には、その上部平面部３１の上方に突出し、ミシン１におけるベッド本体部２（図１参照）の前後方向であるＹ方向に刺繍枠３３を移送するためのＹ方向移送機構を内蔵したＹキャリッジ機構３４が設けられており、さらに、Ｙ方向と直行する方向（ベッド本体部の左右方向）であるＸ方向にＹキャリッジ機構３４を移送するためのＸ方向移送機構（図示外）が上部平面部３１下に内蔵されている。また、上部平面部３１の前部には、左右方向に延設されたスリット３９が設けられており、当該スリット３９を挟むようにＸ方向移送機構とＹキャリッジ機構３４とが接続されている。そして、この状態でＸ方向移送機構及びＸキャリッジ機構３４が動作し刺繍枠３３が稼動することにより、ＸＹ平面上の任意の場所に移動させることができるようになっている。
【００３５】
また、刺繍機３０が有する、右方向に突設した二つの凸部４７、４８のうち前側４７の先端部の右側周壁部４４には、矩形状の凸型壁が周回して構成された係合壁３５が凸設されている。この係合壁３５は、上下方向を長手方向とする側面視略長方枠形状に凸型壁が形成されたものである。また、この係合壁３５にて囲まれた部分には、電気的接続コネクタ３７が内設されている（以降、係合壁３５を「第一係合部」という。）。この第一係合部の位置は、刺繍機３０がミシン１（図１参照）に装着された状態においてミシンベッド部３（図１参照）に凹設された第一被係合部（図１参照）と対向する位置であり、ミシン１（図１参照）への刺繍機３０の装着時において、第一係合部と第一被係合部（図２参照）とが係合し、刺繍機３０がミシン１（図１参照）に保持される。さらに、内蔵されている電気的接続コネクタ３７は、装着されるミシン１（図１参照）が有する電気的被接続コネクタ２４と電気的に接続するためのものであり、第一係合部と第一被係合部（図１参照）とが係合することにより、電気的被接続コネクタ２４と電気的接続コネクタ３７とが電気的に接続される。
【００３６】
また、図４に示すように、刺繍機３０が有する、右方向に突設した二つの凸部４７、４８（図３参照）にて挟まれた凹部の右方面周壁部４５であって、当該二つの凸部のうち前方凸部４７（図３参照）の後方周壁部（図示外）と接する部分には、この後方周壁部（図示外）を底とする側面視「略Ｔ字」形状の凸部４３（以降、「第二係合部」という。）が凸設されている。この第二係合部４３の位置は、刺繍機３０がミシン１（図１参照）に装着された状態においてフリーアーム部４（図１参照）に凹設された第二被係合部２１（図１参照）と対向する位置であり、ミシン１（図１参照）への刺繍機３０の装着時において、第二係合部４３と第二被係合部２１とが係合し、刺繍機３０がミシン１（図１参照）に保持される。
【００３７】
さらに、図３に示すように、前部の外側面と後部の外側面の周壁部３２には、左右方向における中央に、左右方向を長手方向とする側面視略長方形状に凹んだ被係止凹部４０が平面部３１に亙り設けられており、さらに、当該被係止凹部４０が平面部３１と接する部分には、凸設した被係止凸部４１が設けられている（以降、当該被係止凹部４０と当該被係止凸部４１とを併せ、「被係止部４２」という。）。このうち被係止凸部４１には、刺繍機３０の上面から刺繍機用カバー６０（図５、後述）が覆設された状態において、係止部６６及び係止部６７（図５、後述）が係止され、刺繍機用カバー６０（図５、後述）を固定できるようになっている。
【００３８】
次に、図５を参照し、ミシン１に刺繍機３０が装着された状態の概略構成について説明する。図５は、ミシン１に刺繍機３０が装着された状態における右斜め前からみた斜視図である。
【００３９】
図５に示すように、刺繍縫製のためにミシン１に刺繍機３０を装着した状態においては、ミシン１のフリーアーム部４が刺繍機３０の平面視「横向き略Ｕ字」形状凹部に嵌合される。そして、第一係合部（図３参照）と第一被係合部（図１参照）、及び第二係合部４３（図３参照）と第二被係合部２１（図１参照）とが係合され、ミシン１におけるミシンベッド部３の上面５１、フリーアーム部４の上面５２、及び刺繍機３０における平面部３１が一体となった略水平面が形成された状態で保持される。ここで、ミシン１におけるミシンベッド部３の側面５３の上下幅と、刺繍機３０における周壁部３２の上下幅とはほぼ同一であり、刺繍機３０は床面に安定に支持される。
【００４０】
またこの状態では、ミシン１が備える電気的被接続コネクタ２４（図１参照）と、刺繍機３０が備える電気的接続コネクタ３７（図３参照）とが電気的に接続されるため、双方間で電気通信が可能な状態となっている。そして、ミシン１が液晶ディスプレイ１６からの入力情報に応じ、刺繍機３０が有するＸ方向移送機構及びＹ方向移送機構を制御し、刺繍枠３３を動作させることによって、刺繍縫製が実行される。
【００４１】
次に、図６乃至１０を参照し、本発明の要部である、刺繍機用カバー６０の概略構成について説明する。ここで、刺繍機用カバー６０は、刺繍機３０（図３参照）に覆設され、刺繍機３０（図３参照）の内部への埃等の侵入を防止するためのカバーとして使用されるのと同時に、ミシン１（図１参照）に装着され、大きな加工布に縫製を行う際の補助テーブルとしても使用できるものである。図６は刺繍機用カバー６０の平面図であり、図７は刺繍機用カバー６０の右側面図であり、図８は刺繍機用カバー６０の右斜め前から見た斜視図であり、図９は刺繍機用カバー６０の底面図であり、図１０は、刺繍機用カバー６０に軸視されている支持脚７２、７５が略鉛直姿勢に移動された状態における、図６のＡ−Ａ線における矢視方向断面図である。なお以下の説明においては、図６における左側を刺繍機用カバー６０の左方、右側を刺繍機用カバー６０の右方、上側を刺繍機用カバー６０の後方、下側を刺繍機用カバー６０の前方、紙面手前側を刺繍機用カバー６０の上方、紙面手奥行き側を刺繍機用カバー６０の下方とする。
【００４２】
図６に示すように、刺繍機用カバー６０は、平面視「横向き略Ｕ字」形状である板状体の平面部６１を上面に有する。ここで、刺繍機用カバー６０の前後長はミシン１（図１参照）におけるベッド本体部２（図１参照）の前後長よりもやや大きく、刺繍機用カバー６０の左右長はフリーアーム部４（図１参照）の左右長の約１．５倍の大きさとなっている。なお、この平面部６１の形状は、刺繍機３０（図３参照）の平面部３１（図３参照）と略同一形状であり、刺繍機３０（図３参照）の上面から覆設できるようになっている。また、右方向に延設した二つの凸部８０、８１にて挟まれた凹部７９の形状は、ミシン１（図１参照）のフリーアーム部４（図１参照）の平面形状と略同一であり、凹部７９をフリーアーム部４（図１参照）に嵌合させることができるようになっている。
【００４３】
また、平面部６１の周縁に延設する周壁部（図７、後述）であり、右方向に延設した二つの凸部８０、８１のうち前側８０の先端部の周壁部６４には、右方向に凸設された第三係合部６２が設けられている。また、右方向に延設した二つの凸部８０、８１にて挟まれた凹部の右側面周壁部６５前方には、右方向に凸設された第四係合部６３が設けられている。
【００４４】
また、図７及び図８に示すように、刺繍機用カバー６０は、平面部６１の周縁に沿って連続した、平面部６１に対して垂直下方に延設された周壁部６４、６５、６８、６９を有している。ここで、この周壁部の高さは、刺繍機３０（図３参照）の上面に突出して配設されるＹキャリッジ機構３４（図３参照）の高さよりも十分大きく、おおよそミシンベッド部３（図１参照）の約２／３程度となっており、刺繍機用カバー６０をカバーとして刺繍機３０（図３参照）に覆設させた状態において、Ｙキャリッジ機構３４（図３参照）を覆うのに十分な高さとなっている。
【００４５】
また、前方外側の周壁部６８、及び後方外側の周壁部６９には、下方に凸設された係止部６６、及び係止部６７が設けられている。これらの係止部の先端部には、内側に突設した係止突起部が設けられており、刺繍機３０（図３参照）における被係止凸部４１（図３参照）に係止可能となっている。
【００４６】
また、図８に示すように、右方向に延設した凸部８０の周壁部６４に凸設された第三係合部６２は、矩形状の凸型壁が上下方を長手方向とする略長方形枠状に周回した構成となっている。また、その下方、長手方向幅の１／４程度が周壁部６４の下端からはみ出して凸接された状態となっている。また、右方向に延設した二つの凸部８０、８１にて挟まれた凹部の周壁部６５に凸設された第四係合部６３は、全体として、側面視「略Ｅ字」形状を形成する凸壁からなる。これらの係合部はそれぞれ、第三係合部６２がミシン１（図１参照）における第一被係合部（図１参照）、及び第四係合部６３がミシン１（図１参照）における第二被係合部２１（図２参照）と係合可能な形状となっている。
【００４７】
さらに、図９に示すように、平面部６１と周壁部６４、６５等にて囲まれた空間部分のうち、平面視「横向き略Ｕ字」形状の凹部側と反対側の縁部には、前後方向に空間部分を仕切る仕切り壁７６が設けられており、この仕切り壁７６により仕切られた部分に、略直方体形状を有する支持脚７２及び支持脚７５が、回転可能に軸支され、収納されている。これらは、補助テーブルとして使用する為に刺繍機用カバー６０をミシン１（図１参照）に装着した状態において、刺繍機用カバー６０を支持するために引き起こして刺繍機用カバー６０から下方に突出させて使用されるものであり、略直方体形状からなる支持脚本体部７０及び支持脚本体部７３と、支持脚先端部７１及び支持体先端部７４と、支持脚軸支部７７及び支持脚軸支部７８とからなる。
【００４８】
このうち、支持脚軸支部７７及び支持脚軸支部７８は、支持脚を刺繍機用カバー６０に軸支するためのものであり、支持脚本体部７０及び支持脚本体部７３の端部に設けられ、刺繍機用カバー６０の角部において刺繍機用カバー６０に軸支されている。そして当該部分を基軸とし、支持脚７２及び支持脚７５全体を、前後方向に平行な水平姿勢と略鉛直姿勢とに回転可能となっている。そして、刺繍機用カバー６０が刺繍機３０（図３参照）に覆設され、刺繍機用カバーとして使用される場合は、刺繍機３０（図３参照）の邪魔にならないように支持脚７２及び支持脚７５は水平姿勢に保持される。一方、図１０に示すように、ミシン１（図１参照）に装着され、補助テーブルとして使用される場合は、刺繍機用カバー６０を支持するために、支持脚７２及び支持脚７５は略鉛直姿勢に保持される。なお、刺繍機用カバー６０には当接部（図示外）が設けられており、支持脚７２及び支持脚７５を回転させた場合に、支持脚７２が当接部に当接して略鉛直姿勢より広角方向には回転できないようになっているため、支持脚７２及び支持脚７５を略鉛直姿勢にて保持できるようになっている。また、支持脚７２が勝手に回転してしまうことがないように、支持脚７２が回転する際には弱い摩擦抵抗が付与されるように構成されている。
【００４９】
また、支持脚先端部７１及び支持体先端部７４は、支持脚７２及び支持脚７５における支持脚軸支部７７及び支持脚軸支部７８と反対側の端部に配置されており、球体面側が先端方向を向いた半球状の先端部と、球体面と反対方向に凸設された螺子棒部とからなる。ここで、当該螺子棒部は支持脚本体部７０及び支持脚本体部７３の螺子穴に螺挿された状態となっている。
【００５０】
図１０に示すように、刺繍機用カバー６０がミシン１に装着され、補助テーブルとして使用される場合は、支持脚軸支部７７及び支持脚軸支部７８を軸として支持脚７２及び支持脚７５を略鉛直姿勢に回転した状態で使用される。なお、支持脚先端部７１及び支持体先端部７４の螺子棒部の支持脚本体部７０及び支持脚本体部７３への螺挿程度を調整することにより、支持脚７２及び支持脚７５全体の長さを調整できるようになっているため、段差のある部分で使用する場合や、異なるミシン１に装着して使用する場合でも、共通の刺繍機用カバー６０を補助テーブルとして使用できる。
【００５１】
次に図１１を参照し、刺繍機３０に刺繍機用カバー６０が覆設された状態の概略構成について説明する。図１１は、刺繍機３０に刺繍機用カバー６０が覆設された状態における右斜め前からみた斜視図である。
【００５２】
図１１に示すように、刺繍機用カバー６０は刺繍機３０の上面に覆設され、刺繍機３０への埃等の進入を防ぐためのカバーとして使用される。また、刺繍機用カバー６０が刺繍機３０に覆設された状態では、刺繍機用カバー６０の周壁部６８に凸設された係止部６７が、刺繍機３０の被係止部４２における被係止凸部４１（図３参照）に係止されることにより、刺繍機用カバー６０が刺繍機３０の上側に固定される。ここで、刺繍機３０及び刺繍機用カバー６０の平面視形状は略同一となっているため、刺繍機用カバー６０は刺繍機３０に隙間なく嵌る。従って、刺繍機３０において特に埃等の進入を防ぐ必要があるスリット３９（図３参照）やＸキャリッジ機構３４（図３参照）を、刺繍機用カバー６０における平面部６１と周壁部６８とで囲まれた空間部分で覆うことが可能となっている。
【００５３】
なお、刺繍機用カバー６０が刺繍機３０に覆設された状態においては、刺繍機用カバー６０に凸設された第三係合部６２と刺繍機３０に凸設された第一係合部とはちょうど上下方向に並設された状態となる。同様に、ミシン１の第二被係合部２１（図１）に係合される、刺繍機用カバー６０に設けられた第四係合部６３（図６）と刺繍機３０に設けられた第二係合部４３（図３）とはちょうど上下方に並設された状態となっている。
【００５４】
次に図１２乃至１４を参照し、ミシン１と刺繍機用カバーが係合された状態の概略構成について説明する。図１２は、ミシン１に刺繍機用カバー６０が装着された状態における右斜め前から見た斜視図であり、図１３は、ミシン１に刺繍機用カバー６０が装着された状態における正面図であり、図１４は、ミシン１に刺繍機用カバー６０が装着された状態における左側面図である。
【００５５】
図１２に示すように、刺繍機用カバー６０がミシン１に装着され、補助テーブルとして使用される場合においては、刺繍機用カバー６０における平面視「横向き略Ｕ字」形状の凹部がミシン１におけるフリーアーム部４に嵌合される。またこの状態において、ミシン１の第一被係合部（図１参照）と刺繍機用カバー６０の第三係合部６２（図６参照）、及びミシン１の第二被係合部２１（図１参照）と刺繍機用カバー６０の第四係合部６３（図６参照）とが夫々係合されている。
【００５６】
このことにより、ミシン１におけるミシンベッド部３上面平面部８１と、フリーアーム部４上面平面部８２と、刺繍機用カバー６０上面平面部６１とが略同一高さの略水平面を形成する位置に保持され、テーブル面として使用可能となる。ここで、刺繍機用カバー６０の上面平面部６１の左右幅はミシン１におけるフリーアーム部４の左右幅の約１．５倍であるため、より広い略水平面部を補助テーブルとして利用することが可能となっている。また、ミシンによる縫製作業時において、縫製作業工程の途中で、送り歯により加工布を移送して縫目を形成する実用縫製から刺繍機による刺繍縫製を行うような場合、通常であれば、刺繍機から取り外した刺繍機用カバーの置き場が作業スペースの邪魔となってしまうところ、本発明の刺繍機用カバー６０では補助テーブルとして使用することができるため、作業スペースを有効利用することができる。さらに、別途補助テーブルを準備する必要がなくなるため経済的である。
【００５７】
また、図１３及び１４に示すように、刺繍機用カバー６０における周壁部６８の上下方幅は、ミシン１におけるミシンベッド部３の上下幅の約２／３となっており、刺繍機用カバー６０がミシン１に装着された状態では、刺繍機用カバー６０の下方に隙間が生ずる。ここで、支持脚７５及び支持脚７２が略鉛直姿勢に稼動され、刺繍機用カバー６０が装着された状態におけるミシン１と反対の端側を支持する状態にて保持される。又、必要に応じて先端の支持脚先端部７１及び支持体先端部７４が調整され、支持脚７２及び支持脚７５が刺繍機用カバー６０をちょうど支持できる長さに設定される。
【００５８】
このことにより、刺繍機用カバー６０の一端側を係合部により、他端側を支持脚により支持できるため、形成される補助テーブル面を安定に保持し、容易に大きな加工布の縫製作業が可能となる。
【００５９】
なお、上記の実施形態においては、刺繍機用カバーの平面形状を平面視「横向き略Ｕ字」形状としているが、これに限定されることはなく、刺繍機の平面視形状と略同一形状であり、刺繍機に覆設可能であれば、他の形状であっても構わない。また、刺繍機用カバーの周壁部に凸設された係合部の形状、数量、及びその凸設位置を特定しているが、これに限定されることはなく、ミシンの被係合部と係合可能であり、係合することにより刺繍機用カバーが保持されるのであれば、他の形状、数量、及び凸設位置であっても構わない。さらに、刺繍機カバーに設けられた支持脚の形状、軸支位置、及びその可動状態を特定しているが、これに限定されることはなく、補助テーブルとして使用するためにミシンに装着された状態で補助テーブルが支持されるのであれば、他の形状、軸支位置、及び稼動状態であってもかまわない。
【００６０】
また、上記の実施形態においては、刺繍機用カバーの本来的な用途に補助テーブルとしての新たな用途を付加した形態となっているが、これに限定されることはなく、補助テーブルの本来的な用途に刺繍機用カバーとしての新たな用途を付加した形態であっても構わない。また、補助テーブルの形状を平面視「横向き略Ｕ字」形状としているが、これに限定されることはなく、ミシンに装着可能であれば、他の形状であっても構わない。また、補助テーブルの周壁部に凸設された係合部の形状、数量、及びその凸設位置を特定しているが、これに限定されることはなく、ミシンの被係合部と係合可能であり、係合することにより補助テーブルが保持されるのであれば、他の形状、数量、及び凸設位置であっても構わない。また、補助テーブルの周壁部に凸設された係止部の形状、数量、及びその凸設位置を特定しているが、これに限定されることはなく、刺繍機の被係止部に係止可能であれば、他の形状、数量、及び凸設位置であっても構わない。さらに、補助テーブルに設けられた支持脚の形状、軸支位置、及びその可動状態を特定しているが、これに限定されることはなく、ミシンに装着された状態で補助テーブルが支持されるのであれば、他の形状、軸支位置、及び稼動状態であっても構わない。
【産業上の利用可能性】
【００６１】
本発明は、刺繍縫製のためにミシンに装着されて使用される刺繍機用カバー、広い加工布支持面を確保するためにミシンに装着されて使用される補助テーブル、及び当該刺繍機用カバー又は当該補助テーブルを装着可能なミシンに適用可能である。
【図面の簡単な説明】
【００６２】
【図１】ミシン１の右斜め前側から見た斜視図である。
【図２】ミシン１の左側面図である。
【図３】刺繍機３０の右斜め前側から見た斜視図である。
【図４】刺繍機３０の右側面図である。
【図５】ミシン１に刺繍機３０が装着された状態における右斜め前側からみた斜視図である。
【図６】刺繍機用カバー６０の平面図である。
【図７】刺繍機用カバー６０の正面図である。
【図８】刺繍機用カバー６０の右斜め前側から見た斜視図である。
【図９】刺繍機用カバー６０の底面図である。
【図１０】刺繍機用カバー６０に軸視されている支持脚７２、７５が略鉛直姿勢に稼動された状態における、図６のＡ−Ａ線における矢視方向断面図である。
【図１１】刺繍機３０に刺繍機用カバー６０が覆設された状態における右斜め前側からみた斜視図である。
【図１２】ミシン１に刺繍機用カバー６０が装着された状態における右斜め前側から見た斜視図である。
【図１３】ミシン１に刺繍機用カバー６０が装着された状態における正面図である。
【図１４】ミシン１に刺繍機用カバー６０が装着された状態における左側面図である。
【符号の説明】
【００６３】
１  ミシン
２  ベッド本体部
３  ミシンベッド部
４  フリーアーム部
２０  第一被係合部
２１  第二被係合部
３０  刺繍機
３５  第一係合部
４０  被係止凹部
４１  被係止凸部
４２  被係止部
４３  第二係合部
６０  刺繍機用カバー
６２  第三係合部
６３  第四係合部
６６、６７  係止部
７０、７３  支持脚本体部
７１、７４  支持脚先端部
７２、７５  支持脚
７７、７８  支持脚軸支部
【図１】
2009011750.tif 000003
【図２】
2009011750.tif 000004
【図３】
2009011750.tif 000005
【図４】
2009011750.tif 000006
【図５】
2009011750.tif 000007
【図６】
2009011750.tif 000008
【図７】
2009011750.tif 000009
【図８】
2009011750.tif 000010
【図９】
2009011750.tif 000011
【図１０】
2009011750.tif 000012
【図１１】
2009011750.tif 000013
【図１２】
2009011750.tif 000014
【図１３】
2009011750.tif 000015
【図１４】
2009011750.tif 000016